(57)【要約】      （修正有）【課題】小売店のＨＰのＵＲＬや連絡先のメールアドレスを製品カタログ等へ印をすることを可能とするスタンプ印判を提供する。【解決手段】ゴム印又はインク一体型印又はインクを印面から補充するタイプの印判に於いて、製品カタログの取扱い店の空白スペースに、会社名・所在地・連絡先に加えＨＰのＵＲＬ・メールアドレスをバーコードに変換し、一次元バーコードキャラクター又は二次元ＱＲコードキャラクターを配した比較的大きな印影において鮮明にムラのない印影をスピーディに印する事により、パソコン用の専用マウス又はハンディスキャナーを使用しパソコンやデジタルカメラ内蔵の携帯電話にＨＰのＵＲＬ・メールアドレスをキーボードを使わずにＨＰの表示・メールアドレスの取込が可能な事を特徴とするスタンプ印判である。【選択図】図１
0003149333.tif 000002
【実用新案登録請求の範囲】
【請求項１】
会社名・所在地・連絡先等の実文字の文字記号情報を一次元又は二次元のバーコードに変換したＨＰのＵＲＬ・メールアドレス情報と組み合わせた印影を紙面に印し可能なゴム印字体が印字体ホルダー兼手で保持用のグリップに固定された印判であって、前記スタンプ印判とは独立したスタンプ台でインクを本考案の印判のゴム印字体表面につけ使用する事が可能な、バーコードキャラクターと実文字を紙面へ鮮明な印影で印し、バーコードを専用のバーコード読取マウス・携帯電話・ハンディスキャナーにてスピーディにキーボードを使わずに正確にパソコン又は携帯電話にＨＰのＵＲＬ・メールアドレスの読取が可能な事を特徴とするスタンプ印判。
【請求項２】
会社名・所在地・連絡先等の実文字の文字記号情報を一次元又は二次元のバーコードに変換したＨＰのＵＲＬ・メールアドレス情報と組み合わせた印影を紙面に印し可能なゴム印字体が固定された印字体ホルダー兼手で保持用のグリップが、会社名・所在地等の前記の個々の会社情報ごとの印判パーツに分離・組立可能な組み立て式印判であって、前記スタンプ印判とは独立したスタンプ台でインクを本考案の印判のゴム印字体表面につけ使用する事が可能な印判にてバーコードキャラクターと実文字を紙面に鮮明な印影で印し、バーコードを専用のバーコード読取式マウスや携帯電話やハンディスキャナーにてスピーディにキーボードを使わずに正確にパソコン又は携帯電話にＨＰのＵＲＬ・メールアドレスの読取が可能な事を特徴とするスタンプ印判。
【請求項３】
会社名・所在地・連絡先等の実文字の文字記号情報を一次元又は二次元のバーコードに変換したＨＰのＵＲＬ・メールアドレス情報と組み合わせた印影又はバーコードキャラクター単体の印影を紙面に印し可能なゴム印判であって、本考案の印判内にインクを蓄えたスタンプ台を内蔵し、均一に加圧・印する事を目指したバネを内蔵し、手で持つ筐体を紙面に押し当てる事により、ゴム印字体を均一に加圧する印字体ホルダーに固定されたゴム印字体を前記のスタンプ台に押し当てた位置よりスライドガイド部と回転上下動機構により印する紙面に向けゴム印字体のついた印字ホルダーを回転させ、紙面へゴム印字体のついた印字体ホルダーに均一な加圧を加える事により、バーコードキャラクター・実文字を紙面に鮮明な印影で印し、専用のバーコード読取式マウス・携帯電話・ハンディスキャナーにてスピーディにキーボードを使わずにパソコン又は携帯電話に正確なＨＰのＵＲＬ・メールアドレスの読取が可能な事を特徴とするスタンプ印判。
【請求項４】
会社名・所在地・連絡先等の実文字の文字記号情報を一次元又は二次元のバーコードに変換したＨＰのＵＲＬ・メールアドレス情報と組み合わせた印影又はバーコードキャラクター単体の印影を紙面に印し可能なスタンプ印判であって、筐体内にインクを蓄えるスタンプタンク機構を内蔵し、インクを適量通すゴム素材を使用したゴム印字体とゴム印字体を均一に印する為の印字体ホルダーとバネと上下動・位置合わせの為に上下方向にスライドするスライドガイド部を内蔵し、手で筐体を紙面に押し当て加圧する事により印字体ホルダーとその底面に設置されたゴム印字体を紙面へ均一に加圧する事により、バーコード・実文字を紙面に鮮明な印影で印し、専用のバーコード読取式マウスや携帯電話やハンディスキャナーにてスピーディにキーボードを使わずにパソコン又は携帯電話に正確なＨＰのＵＲＬ・メールアドレスの読取が可能な事を特徴とするスタンプ印判。
【請求項５】
会社名・所在地・連絡先等の実文字の文字記号情報を一次元又は二次元のバーコードに変換したＨＰのＵＲＬ・メールアドレス情報と組み合わせた印影又はバーコードキャラクター単体の印影を紙面に印し可能なスタンプ印判であって、印判の底面にあるゴム印字体側よりインクの注入を行いインクを蓄えるスタンプタンク機構を有し、筐体内にインクを蓄えられ、ゴム印字体を均一に加圧する印字体ホルダーとバネと上下動・位置合わせの為のスライドガイド部を内蔵し、手で筐体を紙面に押し当て加圧する事により印字体ホルダーとその底面に設置されたゴム印字体を紙面へ均一に加圧する事により、バーコードキャラクター・実文字を紙面に鮮明な印影で印し、専用のバーコード読取式マウスや携帯電話でバーコードやハンディスキャナーにてスピーディにキーボードを使わずにパソコン又は携帯電話に正確なＨＰのＵＲＬ・メールアドレスの読取が可能な事を特徴とするスタンプ印判。
【考案の詳細な説明】
【技術分野】
【０００１】本考案は、ＵＲＬ又はメールアドレスをバーコード化した一次元バーコード又は二次元ＱＲバーコードキャラクターを含む会社名と所在地と電話番号等の実文字を印する為のスタンプ印判に関するものです。
【背景技術】
【０００２】現在、携帯電話で読取が可能な二次元ＱＲバーコードをハンディスキャナーや専用の読取対応マウスや携帯電話で読取可能な一次元バーコードキャラクターを会社名・所在地・郵便番号・電話等の実文字に加え家電製品等の製品カタログの取扱い店のスペースに印する事が可能なゴム印判並びにインク内蔵型印に関する技術です。
【考案の開示】
【考案が解決しようとする課題】
【０００３】現在、家電製品や自動車等の製品の販促用には、消費者向けに製品カタログが印刷され、小売店等に設置され、無料で消費者に配布されている。これらのカタログには、カタログの下位置には、取扱い店の名前や所在地等のスタンプ印を押すスペースが設けられている。このスペースには、小売店の名前や所在地や電話番号に加え、ＨＰをインターネット上で特定する為のアドレスであるＵＲＬや連絡先を記すメールアドレスを印するケースが多く見られる。この場合、消費者は興味を示した場合、パソコン又は携帯電話でＵＲＬをキーボードから入力する必要がある。  但し正確に文字記号を入力しないとＨＰが表示されないやメールが送信できない問題が発生する事から消費者にとっては、面倒でありスピーディとは言えない。ＣＣＤラインセンサーとレーザーダイオードを内蔵したハンディスキャナーをパソコンに接続した読取に加え、本年考案された一次元バーコード読取式マウスや携帯電話による一般家庭やオフィスや学校等で手動での読取が可能な一次元バーコードキャラクターをゴム印判の改良により実用化したならば、一般家庭や一般の会社や学校等でインターネット接続のパソコンや携帯電話にて特定のＨＰの表示がスピーディに容易に面倒なキー入力なしに正確に可能となる事が期待されている。更に二次元バーコードのＱＲコードにてＵＲＬやメールアドレスをデジタルカメラ内蔵の携帯電話を使用しＨＰの表示をする為に、ＨＰのＵＲＬ・メールアドレスをバーコード化した鮮明なＱＲコードをスタンプ印に生成する事により、消費者の利便性向上と小売店側の販促に寄与する事が見込まれる。この課題を解決する為にパソコンとプリンターで粘着剤のついたバーコード付きのステッカーの印刷・貼り付けが考えられるが、ステッカー印刷がコストアップとなる上、位置合わせ・貼り付け作業が必要となり無料で配布するカタログへの実用化は困難である。現在のスタンプ印判を使い鮮明なバーコードキャラクターを印する事が最良の手段である。
【課題を解決するための手段】
【０００４】スタンプ台でインクをつけるゴム印判に於いて、会社名・所在地・連絡先等の実文字に加え、ＨＰのＵＲＬ・メールアドレスのバーコード化を行い、スタンプの印面上にバーコードキャラクターを精密に形成し、スタンプ台にてインクをつけ、製品カタログの取扱い店の余白へスタンプを押す。更にデジタルカメラ内蔵の携帯電話にて撮影しＵＲＬの取得を目的とする二次元ＱＲバーコードキャラクターを印面に配し、また会社名・所在地・連絡先も同時に印し、カタログの取扱い店の余白スペースにスタンプを押し、パソコンや携帯電話に読み取らせるものです。通常のスタンプゴム印判に加え、インクを蓄えるスペースを有するインク内蔵型印判やインクを印面から補充するスタンプ印判へのバーコードキャラクターの形成・バネと筐体とスライドガイド部による上から下への印判の加圧により、ゴム印字体の全面に於ける均一な加圧機構とインクを蓄え均一にゴム印字体につけるインクを蓄えるスタンプ機構の採用により、かすれの少ない鮮明な濃淡の一次元又は二次元バーコードキャラクターを紙面に印し、ＵＲＬを前記専用マウス又は前記携帯電話でインターネット接続されたパソコン又は携帯電話でより正確に特定のＨＰの表示が可能となります。会社名・所在地・電話番号に加え、一次元又は二次元バーコードキャラクターを鮮明に読取装置で読み取れる様に印する為には、上記の三行程度の印影よりも一回り大きい印影につき均一に鮮明に形成する必要がある。インク内蔵型の場合は、ベースとなる筐体が上からの加圧によるスライドガイド部にて下方向へ可動する構造を採用し、筐体上部に蓄えたスタンプ台のインク面に接触させた上向きのゴム印字体と印字体ホルダーを紙面に向けて下へ回転させ、バネを利用し、左右・手前と奥位置に於ける印影全面に於いて均一にかすれの少ない印影を印するものです。更に筐体本体内上に蓄えたインクを自重によりゴム印字体を固定する印字体ホルダーを通してインクをしみ通すゴム素材を使用したゴム印字体に均一にインクを付着させ、筐体内のスライドガイド部に設置されたバネの力で均一にゴム印字体を紙面へ加圧を行い、ゴム印字体を固定した印字体ホルダーを下へバネの力を使用して印影の全面に於いて均一に加圧し、バーコードキャラクターを含む印影を正確に均一に印するものです。
【考案の効果】
【０００５】本考案のスタンプゴム印判並びにインクを内蔵したインク内蔵型印判にてムラの少ない均一な濃淡の印影で一次元バーコード・二次元バーコードキャラクターを鮮明に印する事を可能にする事により、小売店のＨＰのＵＲＬ・連絡先であるメールアドレスを製品カタログ等へ印する事が可能となる。家電製品や自動車ディーラーでは、消費者に大量のカタログを無料で配布する必要がある事からステッカー等の貼り付けでは採算上の問題が発生する為、スタンプによる相対的に広いバーコードキャラクターを含む全体の印影を鮮明に印する事が求められる。取扱い店で配布されたカタログを消費者が自宅や学校や会社へ持ち帰り、インターネット接続のパソコンと前記のマウス又はハンディスキャナーにてパンコン又はデジタルカメラ内蔵の携帯電話に読取、取扱い店の定休日や営業時間やセールイベントや在庫や地図等のＨＰ情報につき、キーボードから文字記号を入力せずに正確にスピーディにバーコードキャラクターを読取、ＨＰの表示が可能となる。この結果として小売店側では、従来通りのカタログへのスタンプ作業で各店ごとにスタンプゴム印判又はインクを内蔵したインク内蔵型印判や印面からインク補充する印判でバーコードをカタログ等に大量にスピーディに鮮明な印影を印する事により、販売促進が見込まれると共に消費者の利便性を向上し、顧客満足度の向上が見込まれます。
【考案を実施するための最良の形態】
【０００６】本考案を実現するための最良の形態について説明します。本考案は、一次元バーコード又は二次元ＱＲコードを従来のスタンプゴム印判又はインク内蔵型印判又は印面からインク補充する印判で、スピーディに店ごとのＵＲＬや会社名や所在地や電話番号に加えＨＰのＵＲＬのバーコードをカタログの取扱い店のスペースに印する事を可能にするものです。このバーコードによりインターネット接続のパソコン又は携帯電話で専用のＨＰのスピーディで簡単で正確な表示を可能にし、ＨＰを通じて店舖の定休日や営業時間やイベント情報やセール情報や在庫情報を消費者に配信可能にするものです。本考案では、バーコードキャラクターを追加した事に伴い、印判の印影のサイズが大きくなり、この相対的に大きなスペースに鮮明な印影を形成する為、バネと手で保持する筐体と印刷位置のガイド照準となるスライドガイド部とインクを蓄えるスタンプタンク機構とゴム印字体と印字体ホルダーを回転させ上下可動にする為の機構を内蔵しており、内蔵のバネの力とスライドするスライドガイド部で印するスペースの位置合わせを行い、バーコードキャラクターを含む全ての印影領域に於いてムラの少ない鮮明な濃淡の印影を印するものです。
【実施例】
【０００７】図２印判の具体的な実施例について説明します。スタンプゴム印には、スタンプゴム印を接着した印字体ホルダー兼手で保持用グリップ持ち手から構成されます。更にインク内蔵型印の場合は、一体型印の上部にインクを一定量蓄えるスタンプタンクを内蔵しており、インクを適量通すゴム素材を使用し、ゴム印の場合と異なり内蔵のインクを使用し、外部のスタンプ台からインクをつけずにカタログ面に相対的に広い印影を押し当てるだけでバーコードキャラクターを含む取扱い店の実文字情報を印する事が可能となる。量販店では、製品カタログを持ち帰った消費者が製品の購入・来店の為の営業時間や休業日や在庫やセールイベント情報に関するＨＰへのアクセスを消費者に手間を掛けずに促すものです。本考案では、バーコードキャラクターをムラなく鮮明に均一に形成する事に伴い、印判の印影のサイズが大きくなり、この相対的に大きなスペースに鮮明な印影を形成する為、バネと手で保持する筐体と印刷位置のガイド照準となるスライドガイド部とインクを蓄えるスタンプ台またはインクを蓄えるスタンプタンク機構と印字体ホルダーに固定されたゴム印字体を回転させ上下可動にする為の機構を内蔵しており、内蔵のバネの力でバーコードキャラクターを含む全ての印影領域に於いてムラの少ない鮮明な濃淡の印影を印する。
【図面の簡単な説明】
【０００８】【図１】本考案のスタンプ印判の印影の外観図
【図２】本考案の組立式のスタンプ印判の外観図
【図３】本考案のインク内蔵型スタンプ印判の正面から見た断面図、上から加圧していない時
【図４】本考案のインク内蔵型スタンプ印判の正面から見た断面図、上から加圧し、印した時
【図５】本考案のインク内蔵型インクを通すのゴム印字体のスタンプ印判の正面からの断面図、上から加圧した時
【符号の説明】
【０００９】  １  スタンプ印判の印する内容、実文字とバーコードキャラクターから構成される  ２  会社名、取扱い店名  ３  所在地  ４  連絡先  ５  ＵＲＬ、携帯電話又はパソコン用のＨＰのＵＲＬ  ６  二次元バーコードキャラクター、ＱＲコード  ７  一次元バーコードキャラクター、本年考案の新マウスや携帯電話での読取も可能  ８  ゴム印字体、スタンプ印判の先端部  ９  組立式の印判のパーツの接合部、凹凸により組立・解体可能１０  筐体１１  筐体内蔵のスタンプ台、インクを蓄えるスタンプタンク機構１２  ゴム印字体１３  印字体ホルダー１４  バネ、均一にゴム印字体を紙面に加圧する為のバネ１５  印字体ホルダーの回転の為の１８０度回転機構１６  紙面、カタログ、名刺１７  スライドガイド部
【図１】
0003149333.tif 000003
【図２】
0003149333.tif 000004
【図３】
0003149333.tif 000005
【図４】
0003149333.tif 000006
【図５】
0003149333.tif 000007
【手続補正書】
【提出日】平成20年12月17日(2008.12.17)
【手続補正１】
【補正対象書類名】実用新案登録請求の範囲
【補正対象項目名】全文
【補正方法】変更
【補正の内容】
【実用新案登録請求の範囲】
【請求項１】
ゴム印字体が固定された印字体ホルダーと内蔵型のスタンプ台又はインク蓄えるスタンプタンク機構と印判の筐体と上下動機構又は上下回転移動機構とバネから構成されるスタンプ印判に於いて、会社名・所在地・連絡先等の実文字の文字記号情報を一次元又は二次元のバーコードに変換したＨＰのＵＲＬ・メールアドレス情報と組み合わせた印影又はバーコードキャラクター単体の印影を紙面に印し可能な前記スタンプ印判であって、本考案の印判内にインクを蓄えたスタンプ台を内蔵又は蓄えられ、均一に加圧・印する事を目指したバネを内蔵し、手で持つ筐体を紙面に押し当てる事により、ゴム印字体を均一に加圧する印字体ホルダーに固定されたゴム印字体を前記のスタンプ台に押し当てた位置よりスライドガイド部と回転上下動機構又は単なる上下動機構により印する紙面に向けゴム印字体のついた印字ホルダーを回転又は回転動無しで上下動させ、紙面へゴム印字体のついた印字体ホルダーに均一な加圧を加える事により、バーコードキャラクター・実文字を紙面に鮮明な印影で印し、専用のバーコード読取式マウス・携帯電話・ハンディスキャナーにてスピーディにキーボードを使わずにパソコン又は携帯電話に正確なＨＰのＵＲＬ・メールアドレスの読取が可能な事を特徴とするスタンプ印判。
【請求項２】
請求項１に記載の構成のスタンプ印判であって、会社名・所在地・連絡先等の実文字の文字記号情報を一次元又は二次元のバーコードに変換したＨＰのＵＲＬ・メールアドレス情報と組み合わせた印影又はバーコードキャラクター単体の印影を紙面に印し可能なスタンプ印判であって、筐体内にインクを蓄えるスタンプタンク機構を内蔵し、インクを適量通すゴム素材を使用したゴム印字体とゴム印字体を均一に印する為の印字体ホルダーとバネと上下動・位置合わせの為に上下方向にスライドするスライドガイド部を内蔵し、手で筐体を紙面に押し当て加圧する事により印字体ホルダーとその底面に設置されたゴム印字体を紙面へ均一に加圧する事により、バーコード・実文字を紙面に鮮明な印影で印し、専用のバーコード読取式マウスや携帯電話やハンディスキャナーにてスピーディにキーボードを使わずにパソコン又は携帯電話に正確なＨＰのＵＲＬ・メールアドレスの読取が可能な事を特徴とするスタンプ印判。
【請求項３】
請求項１に記載の構成のスタンプ印判であって、会社名・所在地・連絡先等の実文字の文字記号情報を一次元又は二次元のバーコードに変換したＨＰのＵＲＬ・メールアドレス情報と組み合わせた印影又はバーコードキャラクター単体の印影を紙面に印し可能なスタンプ印判であって、印判の底面にあるゴム印字体側よりインクの注入を行いインクを蓄えるスタンプタンク機構を有し、筐体内にインクを蓄えられ、ゴム印字体を均一に加圧する印字体ホルダーとバネと上下動・位置合わせの為のスライドガイド部を内蔵し、手で筐体を紙面に押し当て加圧する事により印字体ホルダーとその底面に設置されたゴム印字体を紙面へ均一に加圧する事により、バーコードキャラクター・実文字を紙面に鮮明な印影で印し、専用のバーコード読取式マウスや携帯電話でバーコードやハンディスキャナーにてスピーディにキーボードを使わずにパソコン又は携帯電話に正確なＨＰのＵＲＬ・メールアドレスの読取が可能な事を特徴とするスタンプ印判。
【手続補正２】
【補正対象書類名】明細書
【補正対象項目名】０００３
【補正方法】変更
【補正の内容】
【０００３】現在、家電製品や自動車等の製品の販促用には、消費者向けに製品カタログが印刷され、小売店等に設置され、無料で消費者に配布されている。
これらのカタログには、カタログの下位置には、取扱い店の名前や所在地等のスタンプ印を押すスペースが設けられている。このスペースには、小売店の名前や所在地や電話番号に加え、ＨＰをインターネット上で特定する為のアドレスであるＵＲＬや連絡先を記すメールアドレスを印するケースが多く見られる。この場合、消費者は興味を示した場合、パソコン又は携帯電話でＵＲＬをキーボードから入力する必要がある。  但し正確に文字記号を入力しないとＨＰが表示されないやメールが送信できない問題が発生する事から消費者にとっては、面倒でありスピーディとは言えない。
ＣＣＤラインセンサーとレーザーダイオードを内蔵したハンディスキャナーをパソコンに接続した読取に加え、本年考案された一次元バーコード読取式マウスや携帯電話による一般家庭やオフィスや学校等で手動での読取が可能な一次元バーコードキャラクターをゴム印判の改良により実用化したならば、一般家庭や一般の会社や学校等でインターネット接続のパソコンや携帯電話にて特定のＨＰの表示がスピーディに容易に面倒なキー入力なしに正確に可能となる事が期待されている。
更に二次元バーコードのＱＲコード（登録商標）にてＵＲＬやメールアドレスをデジタルカメラ内蔵の携帯電話を使用しＨＰの表示をする為に、ＨＰのＵＲＬ・メールアドレスをバーコード化した鮮明なＱＲコードをスタンプ印に生成する事により、消費者の利便性向上と小売店側の販促に寄与する事が見込まれる。
この課題を解決する為にパソコンとプリンターで粘着剤のついたバーコード付きのステッカーの印刷・貼り付けが考えられるが、ステッカー印刷がコストアップとなる上、位置合わせ・貼り付け作業が必要となり無料で配布するカタログへの実用化は困難である。
現在のスタンプ印判を使い鮮明なバーコードキャラクターを印する事が最良の手段である。
【手続補正３】
【補正対象書類名】明細書
【補正対象項目名】０００６
【補正方法】変更
【補正の内容】
【０００６】本考案を実現するための最良の形態について説明します。本考案は、一次元バーコード又は二次元ＱＲコード（登録商標）を従来のスタンプゴム印判又はインク内蔵型印判又は印面からインク補充する印判で、スピーディに店ごとのＵＲＬや会社名や所在地や電話番号に加えＨＰのＵＲＬのバーコードをカタログの取扱い店のスペースに印する事を可能にするものです。
このバーコードによりインターネット接続のパソコン又は携帯電話で専用のＨＰのスピーディで簡単で正確な表示を可能にし、ＨＰを通じて店舗の定休日や営業時間やイベント情報やセール情報や在庫情報を消費者に配信可能にするものです。
本考案では、バーコードキャラクターを追加した事に伴い、印判の印影のサイズが大きくなり、この相対的に大きなスペースに鮮明な印影を形成する為、バネと手で保持する筐体と印刷位置のガイド照準となるスライドガイド部とインクを蓄えるスタンプタンク機構とゴム印字体と印字体ホルダーを回転させ上下可動にする為の機構を内蔵しており、内蔵のバネの力とスライドするスライドガイド部で印するスペースの位置合わせを行い、バーコードキャラクターを含む全ての印影領域に於いてムラの少ない鮮明な濃淡の印影を印するものです。
【手続補正４】
【補正対象書類名】明細書
【補正対象項目名】０００９
【補正方法】変更
【補正の内容】
【０００９】１    スタンプ印判の印する内容、実文字とバーコードキャラクターから構成される
２    会社名、取扱い店名
３    所在地
１８  連絡先
１９  ＵＲＬ、携帯電話又はパソコン用のＨＰのＵＲＬ
２０  二次元バーコードキャラクター、ＱＲコード（登録商標）
２１  一次元バーコードキャラクター、本年考案の新マウスや携帯電話での読取も可能
２２  ゴム印字体、スタンプ印判の先端部
２３  組立式の印判のパーツの接合部、凹凸により組立・解体可能
２４  筐体
２５  筐体内蔵のスタンプ台、インクを蓄えるスタンプタンク機構
２６  ゴム印字体
２７  印字体ホルダー
２８  バネ、均一にゴム印字体を紙面に加圧する為のバネ
２９  印字体ホルダーの回転の為の１８０度回転機構
３０  紙面、カタログ、名刺
３１  スライドガイド部